(57)【特許請求の範囲】
【請求項１】
被検眼眼底に測定用指標を投影し、眼底からの反射光に基づいて被検眼が持つ屈折力を他覚的に測定する測定手段と、該測定手段により得られた複数の測定結果を記憶する記憶手段と、該記憶手段に記憶された複数の測定結果を統計処理して代表値を得る代表値演算手段と、を有する眼屈折力測定装置において、得られた複数の測定結果のＳ値にプラス度数とマイナス度数が混在する場合、弱度遠視の可能性があると判断し、自覚的に屈折力を測定する際に被検眼に付与する屈折力の初期値としてＳ値の最も大きい測定値を推奨する推奨値決定手段と、該推奨値決定手段によりＳ値の最も大きい測定値を推奨するときは、前記代表値とともにＳ値の最も大きい測定値を推奨値として出力するか、又はＳ値の最も大きい測定値を代表値と見なして出力するデータ出力手段と、を備えることを特徴とする眼屈折力測定装置。
【請求項２】
被検眼眼底に測定指標を投影し、眼底からの反射光に基づいて被検眼が持つ屈折力を他覚的に測定する測定手段と、該測定手段により得られた複数の測定結果を記憶する記憶手段と、該記憶手段に記憶された複数の測定結果に基づいて測定結果の代表値を得る代表値演算手段と、を有する眼屈折力測定装置において、前記複数の測定結果に基づいて被検眼に弱度遠視の可能性があるかどうかを判定する判定手段と、該判定手段により弱度遠視の可能性があると判定された場合に、自覚的に屈折力を測定する際に被検眼に付与する屈折力の初期値として推奨する推奨値を、前記複数の測定結果の球面度数にプラス度数とマイナス度数が混在しているときはマイナス度数の測定結果を除外して求め、複数の測定結果の球面度数が０又は弱いマイナス度数のときは、複数の測定結果の代表値を求め、求められた代表値に所定のプラス度数を加えて求めることにより、前記測定結果に調節力が働いていたと仮定して調節力の影響を補正した推奨値を得る推奨値決定手段と、得られた推奨値を出力するデータ出力手段と、を備えることを特徴とする眼屈折力測定装置。
【発明の詳細な説明】
【０００１】
【発明の属する技術分野】
本発明は、被検眼が持つ屈折力を他覚的に測定する眼屈折力測定装置に関する。
【０００２】
【従来技術】
従来より、被検眼眼底に測定指標を投影し、眼底からの反射光に基づいて被検眼が持つ屈折力を他覚的に測定する他覚式屈折力測定装置が知られている。この種の装置では、正確な屈折力を測定しようとする場合、通常、雲霧機構により被検眼の調節力を弛緩状態にして測定を行う。また、測定は複数回行い、得られた測定結果の内の中央の値や平均した値を代表値とする等の統計処理をし、その結果を次に行う自覚検査の初期値として利用している。
【０００３】
【発明が解決しようとする課題】
しかしながら、弱度遠視眼の測定時には被検眼が装置の中を覗き込むことにより、いわゆる機械近視が働きやすく、調節が安定しないことが多い。このため、球面度数の測定結果が全てマイナス度数として表れたり、3回の測定結果の内1回がプラス度数となることも少なくない。このような場合、前述のような代表値の決定方法では、その結果はマイナス度数となる。この代表値だけを見ると、検者は近視眼として認識してしまう。実際は弱度遠視眼であるにも拘わらず、自覚検査をマイナス度数から開始すると、弱度遠視眼では調節力が介入したままの状態になるため、それを緩めて遠視眼の矯正値を導くことはかなり難しい。
【０００４】
本発明は、上記従来装置の欠点に鑑み、弱度遠視の疑いがある被検眼を測定した場合にも、次に行う自覚検査を正確にするための測定データを適切に提供できる屈折力測定装置を提供することを技術課題とする。
【０００５】
【課題を解決するための手段】
上記課題を解決するために、本発明は以下のような構成を備えることを特徴とする。
【０００６】
（１）  被検眼眼底に測定用指標を投影し、眼底からの反射光に基づいて被検眼が持つ屈折力を他覚的に測定する測定手段と、該測定手段により得られた複数の測定結果を記憶する記憶手段と、該記憶手段に記憶された複数の測定結果を統計処理して代表値を得る代表値演算手段と、を有する眼屈折力測定装置において、得られた複数の測定結果のＳ値にプラス度数とマイナス度数が混在する場合、弱度遠視の可能性があると判断し、自覚的に屈折力を測定する際に被検眼に付与する屈折力の初期値としてＳ値の最も大きい測定値を推奨する推奨値決定手段と、該推奨値決定手段によりＳ値の最も大きい測定値を推奨するときは、前記代表値とともにＳ値の最も大きい測定値を推奨値として出力するか、又はＳ値の最も大きい測定値を代表値と見なして出力するデータ出力手段と、を備えることを特徴とする。
【０００７】
（２）  被検眼眼底に測定指標を投影し、眼底からの反射光に基づいて被検眼が持つ屈折力を他覚的に測定する測定手段と、該測定手段により得られた複数の測定結果を記憶する記憶手段と、該記憶手段に記憶された複数の測定結果に基づいて測定結果の代表値を得る代表値演算手段と、を有する眼屈折力測定装置において、前記複数の測定結果に基づいて被検眼に弱度遠視の可能性があるかどうかを判定する判定手段と、該判定手段により弱度遠視の可能性があると判定された場合に、自覚的に屈折力を測定する際に被検眼に付与する屈折力の初期値として推奨する推奨値を、前記複数の測定結果の球面度数にプラス度数とマイナス度数が混在しているときはマイナス度数の測定結果を除外して求め、複数の測定結果の球面度数が０又は弱いマイナス度数のときは、複数の測定結果の代表値を求め、求められた代表値に所定のプラス度数を加えて求めることにより、前記測定結果に調節力が働いていたと仮定して調節力の影響を補正した推奨値を得る推奨値決定手段と、得られた推奨値を出力するデータ出力手段と、を備えることを特徴とする。
【００１４】
【実施例】
以下、本発明の一実施例を図面に基づいて説明する。図1は実施例の装置の外観略図である。1は基台、２は被検者の顔を固定するための顔固定ユニットである。３は本体部、４は後述する光学系が収納された測定部であり、本体部３はジョイスティック５の操作により基台１の水平面上を前後左右に摺動し、また、ジョイスティック５の回転ノブ５ａを回転操作することにより測定部４は本体部３に対して上下方向に移動する。このジョイスティック機構の詳細については、本出願人による特開平６−７２９２号に記載されているのでこれを参照されたい。ジョイスティック５の頂部には測定開始スイッチ６が設けられている。７は被検眼の前眼部像や各種情報を表示するＴＶモニタ、８はプリントスイッチや弱度遠視眼用の参考値を出力する際の設定スイッチ等を持つスイッチ部である。
【００１５】
図２は実施例の装置の光学系の概略配置を示す図である。１０は眼屈折力測定光学系を示す。１１は赤外領域に波長を持つ２個の測定用光源であり、光軸を中心に回転可動に配置されている。１２は集光レンズである。１３は測定用指標（スポット開口）を有し、被検眼Ｅの眼底と共役な位置に配置されるべく移動可能な測定用ターゲット板である。１４は投影レンズ、１５及び１６はビームスプリッタ、１７は対物レンズ、１８、１９はリレーレンズ、２０は被検眼Ｅの角膜と共役な位置に配置されている帯状の角膜反射除去マスク、２１はターゲット板１３とともに移動する移動レンズ、２２は結像レンズである。２３は測定用受光素子であり、測定用受光素子２３は測定用光源１１及び角膜反射除去マスク２０と同期して光軸を中心に回動する。
【００１６】
３０は固視標光学系を表す。３１はミラー、３２は光軸上を移動可能な第１リレーレンズであり、第１リレーレンズ３２は光軸上を移動することによって被検眼の雲霧を行う。３３は第２リレーレンズ、３４は第２リレーレンズ３３の焦点位置に配置されている固視標、３５集光レンズ、３６は照明ランプである。
【００１７】
４０は視軸方向からアライメント指標を投影する指標投影光学系を示す。４１は赤外光の光を出射する点光源４１である。点光源４１を出射した光束は、ビームスプリッタ４２で反射した後、投影レンズ１４により平行光束となり、測定光軸に沿って被検眼Ｅの正面から指標を投影する。
【００１８】
４５は観察光学系を示す。図示無き照明光源により照明された被検眼前眼部像及び指標投影光学系４０により投影されたアライメント指標像はビームスプリッタ１５で反射された後、対物レンズ４６、ミラー４７を介してＣＣＤカメラ４８に撮像される。また、観察光学系４５は被検眼Ｅに投影されたアライメント指標を検出するアライメント指標検出光学系を兼ねることもできる。
【００１９】
図３は装置の制御系の概略構成図である。ＣＣＤカメラ４８からの映像信号は、表示回路５１で生成される文字や図形信号とともに合成回路５２で合成され、ＴＶモニタ７に表示される。５０は装置の全体を制御する制御回路である。制御回路５０には、受光素子２３からの信号をデジタル化するＡ／Ｄ変換器５４、測定用光源１１のドライバ５５、測定用光源１１や受光素子２３を回動するＤＣモータ５６のドライバ５７、測定用ターゲット板１３を移動するモータ５８のドライバ５９等が接続されている。また、６０はターゲット板１３の移動位置を検出するポテンショメータであり、６１はその検出処理回路である。６２は測定結果を記憶するメモリ、６３はプリンタであり、６４はそのドライバである。６５はインターフェイス回路であり、自覚式屈折力測定装置６６と接続されてデータの送受信を行う。自覚式屈折力測定装置６６は、種々の光学素子を検眼窓に電動で切換え配置する左右一対のレンズユニット６６ａを持つタイプのものであり、６６ｂはそのコントローラである。この自覚式屈折力測定装置６６による検査は、検眼窓に配置された矯正光学系を介して被検眼に検査視標を呈示し、その応答に基づいて被検眼の屈折力を自覚的に測定する。
【００２０】
以上のような構成を備える装置について、以下にその動作を説明する。
被検眼を顔固定ユニット２を使用して所定の位置に固定した後、ＴＶモニタ７に表示される前眼部像を観察するとともに、表示回路５１で生成されたレチクル像と指標投影光学系４０によるアライメント指標像が所定の関係になるように、ジョイスティック５及び回転ノブ５ａを操作してアライメントを行う。アライメントが完了したら測定開始スイッチ６を押して測定を行う。
【００２１】
測定用光源１１を出射した測定光束は、集光レンズ１２、ターゲット板１３、ビームスプリッタ４２、投影レンズ１４、ビームスプリッタ１５を経て被検眼Ｅの角膜近傍に集光した後、眼底に到達する。正常眼の場合、眼底で反射したターゲット像はビームスプリッタ１５で反射し，対物レンズ１７を通過後ビームスプリッタ１６でもう一度反射され、リレーレンズ１８、１９を通過し、結像レンズ２２によって受光素子２３上で結像する。被検眼に屈折異常がある場合は、受光素子２３で受光した眼底反射光の受信信号に基づき、モータ５８を駆動して移動レンズ２１とともにターゲット板１３を被検眼Ｅの眼底と共役な位置にくるように移動させる。
【００２２】
次に、第１リレーレンズ３２を移動して固視標３４と被検眼Ｅの眼底とを共役な位置においた後、さらに適当なディオプタ分だけ雲霧が掛かるように第１リレーレンズ３２を移動させる。被検眼Ｅに雲霧の掛かった状態で、測定用光源１１、角膜反射除去マスク２０、及び受光素子２３を光軸回りに１８０度回転させる。回転中、受光素子２３からの信号によりターゲット板１３及び移動レンズ２１が移動し、その移動量をポテンショメータ６０が検出して各経線方向の屈折力値を求める。制御回路５０は、この屈折力に所定の処理を施すことによって被検眼のＳ（球面屈度数）、Ｃ（乱視度数）、Ａ（乱視軸角度）の値を得る。
【００２３】
このような測定を同一被検眼で複数回行う。複数回の測定は、検者がトリガ−スイッチを複数回押すようにしてもよいし、一回のトリガ−信号により複数回の測定を実行するようにしてもよい。制御回路５０は複数回の測定により得られた結果をメモリ６２に記憶した後、その記憶された複数の測定結果に所定の統計処理を施して代表値を求める。これは次に行う自覚検査に際して、その初期光学系を代表値に従うことにより、検眼に不慣れな検者でも容易に精度の良い初期光学系の値を決定できるからである。代表値は、例えば、同一被検眼の複数の測定結果の値を大小の順に並べ替え、その中央の値を採用する。
【００２４】
制御回路５０はこの代表値の算出とともに、検眼が弱度遠視の可能性があるか否かを判定した後、弱度遠視の可能性があると判定したときには、自覚検査の初期値として使用する時の好ましい値（以下、これを推奨値という）を求める。
【００２５】
まず、弱度遠視の可能性があるか否かは、（イ）得られた複数個のＳ値にプラス度数とマイナス度数が混在する場合、（ロ）複数個のＳ値が０Ｄ［ディオプタ］又はすべてマイナス度数であってその値が弱い（例えば、−１．００Ｄよりプラス寄り）場合に、弱度遠視の可能性があると判定する。つぎに、弱度遠視の可能性があると判定したときには、推奨値を次のようにして決定する。
【００２６】
（イ）の場合は、得られた複数個の測定結果においてＳ値の度数が一番大きな値を取り出し、その値を推奨値とする。
【００２７】
（ロ）の場合は、前述の統計処理による代表値の算出により決定されたＳ値に対して、所定のプラス度数（例えば、＋１．００Ｄ）分だけ加えた度数を推奨値とする。
【００２８】
なお、上記（ロ）の場合における、Ｓ値に対して加えるプラス度数は、スイッチ部８のスイッチ操作により検者が任意に設定可能にすると、より検者の方針に合った値を得ることができ、次に行う自覚検査に際して都合が良い。
【００２９】
以上のようにして求められた代表値、及び弱度遠視の可能性があると判定された時に求められた推奨値は、スイッチ部８のプリントスイッチが押されると、メモリ６２に記憶された複数の測定結果とともに、プリンタ６３からプリント出力される。プリント出力に推奨値が表示されているときは、検者は弱度遠視眼の疑いがある被検眼であると容易に気づくことができる。そして、自覚検査を始めるに当たって、その推奨値に基づいた初期光学系を設定することにより、実際に弱度遠視眼である場合でも適切に遠視眼の矯正値を導くことができる。
【００３０】
実施例の装置に自覚式屈折力測定装置６６が接続されている場合は、プリントスイッチを押すことにより算出された代表値データまたは推奨値データがインターフェイス回路６５を介してコントローラ６６ｂに送信される。弱度遠視の可能性があると判定された時には、求められた推奨値データが優先されて送信される。自覚式屈折力測定装置６６側では、この代表値に基づいてレンズユニット６６ａの検眼窓に配置する初期値の光学系を決定する。
【００３１】
なお、以上の実施例では弱度遠視眼の可能性があると判定された場合、代表値とともに推奨値をプリント出力するものとしたが、前記（イ）の場合には弱度遠視の可能性が高いので、この時得られる推奨値を代表値としても良い。
【００３２】
また、実施例の装置は他覚測定手段のみを持つ構成のものとしたが、屈折力を自覚的に検査するための矯正光学系と検査視標を呈示する検査視標呈示光学系を持つタイプの装置としても良い。この場合には、装置は自覚検査を行うときに前述の推奨値データに基づいて矯正光学系の初期値を自動的に設定する。
【００３３】
【発明の効果】
以上説明したように、本発明によれば、弱度遠視の疑いがある被検眼を測定した場合にも、次に行う自覚検査を正確にするための測定データを適切に提供できる。
【図面の簡単な説明】
【図１】実施例である眼屈折力測定装置の外観略図である。
【図２】実施例である眼屈折力測定装置の光学系の概略構成図である。
【図３】実施例である眼屈折力測定装置の制御系の概略構成図である。
【符号の説明】
４  測定部
５  ジョイスティック
７  ＴＶモニタ
８  スイッチ部
４８  ＣＣＤカメラ
５０  制御回路
５１  表示回路
５２  合成回路
６５  インターフェイス回路
６６  自覚式屈折力測定装置
【図１】
0003655071.tif 000002
【図２】
0003655071.tif 000003
【図３】
0003655071.tif 000004